(57)【要約】【課題】搭載性を向上させることの可能な車両の冷却システムを提供する。【解決手段】車両の冷却システム１０は、冷却系統２０と、気液分離部２４と、タンク部４０とを備える。気液分離部２４は、冷却系統２０を循環する冷却水が流入し、流入した冷却水中に含まれる気体成分を分離する。タンク部４０は、気液分離部２４とは別に設けられ、気液分離部２４において分離された冷却水及び気体成分が個別の流路Ｗ１０，Ｗ１１を通じて流入して貯留され、貯留される冷却水を冷却系統２０に戻すとともに、冷却系統２０の冷却水の体積膨張により増加した余分な冷却水を一時的に貯留することの可能である。【選択図】図１
2020023965.tif 000002
【特許請求の範囲】
【請求項１】
ポンプ（２３）により圧送される冷却水が発熱体（２１）と熱交換器（２２）との間を循環しており、前記発熱体の熱を冷却水が吸収することにより前記発熱体が冷却されるとともに、前記熱交換器において冷却水の放熱が行われる冷却系統（２０）と、
前記冷却系統を循環する冷却水が流入し、流入した冷却水中に含まれる気体成分を分離する気液分離部（２４）と、
前記気液分離部とは別に設けられ、前記気液分離部において分離された冷却水及び気体成分が個別の流路（Ｗ１０，Ｗ１１）を通じて流入して貯留され、貯留される冷却水を前記冷却系統に戻すとともに、前記冷却系統の冷却水の体積膨張により増加した余分な冷却水を一時的に貯留することの可能なタンク部（４０）と、
を備える車両の冷却システム。
【請求項２】
複数の前記冷却系統（２０，３０）を備え、
前記気液分離部（２４，３４）は、複数の前記冷却系統のそれぞれに個別に設けられ、
前記タンク部には、複数の前記気液分離部のそれぞれにおいて分離された冷却水及び気体成分が流入して貯留されている
請求項１に記載の車両の冷却システム。
【請求項３】
前記タンク部には、その内部空間を複数の貯留室（Ｒ３０，Ｒ３１）に区画する隔壁（４９ａ，４９ｂ）が設けられ、
複数の前記貯留室には、複数の前記気液分離部において分離された冷却水がそれぞれ流入する
請求項２に記載の車両の冷却システム。
【請求項４】
前記タンク部から前記冷却系統に冷却水を戻すための流路（Ｗ１２，Ｗ２２）には、前記冷却系統から前記タンク部に向かう方向への冷却水の流れを規制する逆止弁（８０，８１）が設けられている
請求項２又は３に記載の車両の冷却システム。
【請求項５】
前記気液分離部及び前記タンク部は隣接して配置されている
請求項１〜４のいずれか一項に記載の車両の冷却システム。
【請求項６】
前記気液分離部の外壁部（５１０，５２０）は、前記熱交換器のタンク（２２０）のハウジング（２２１）に一体的に取り付けられている
請求項１〜４のいずれか一項に記載の車両の冷却システム。
【請求項７】
前記気液分離部の外壁部は、前記ポンプのハウジングに一体的に取り付けられている
請求項１〜４のいずれか一項に記載の車両の冷却システム。
【請求項８】
前記タンク部の外壁部は、前記ポンプのハウジングに一体的に取り付けられている
請求項１〜４のいずれか一項に記載の車両の冷却システム。
【請求項９】
前記気液分離部は、前記冷却系統から流入した冷却水に旋回流を発生させることにより冷却水と気体成分とを分離する
請求項１〜８のいずれか一項に記載の車両の冷却システム。
【請求項１０】
前記タンク部には、その外部から内部への入熱を抑制する断熱構造（４０１，４０２）が設けられている
請求項１〜９のいずれか一項に記載の車両の冷却システム。
【請求項１１】
前記タンク部において予め設定されている液面の下限位置を前記タンク部の下限液面とし、前記気液分離部において予め設定されている液面の下限位置を前記気液分離部の下限液面とするとき、
前記気液分離部及び前記タンク部は、前記タンク部の下限液面よりも鉛直方向上方に前記気液分離部の下限液面が位置する位置関係となるように配置されている
請求項１〜１０のいずれか一項に記載の車両の冷却システム。
【発明の詳細な説明】
【技術分野】
【０００１】
本開示は、車両の冷却システムに関する。
【背景技術】
【０００２】
車両には、エンジンやモータ等の発熱体を冷却するための冷却システムが搭載されている。この冷却システムでは、発熱体と、放熱器であるラジエータとの間を冷却水が循環しており、この冷却水により発熱体が冷却される。また、このような冷却システムでは、冷却水に含まれる気体成分を分離すると共に、温度上昇により冷却水の体積が膨張した際に余分な冷却水を一時的に貯留することの可能なリザーブタンクが設けられている。このようなリザーブタンクとしては、例えば下記の特許文献１に記載のリザーブタンクがある。
【０００３】
特許文献１に記載のリザーブタンクでは、タンク本体部の内部に冷却水が貯留されている。タンク本体部の内部は、複数の隔壁により複数の貯液室に区画されている。隣り合う貯液室は、隔壁に形成された連通路により相互に繋がっている。タンク本体部の一方の側面には、タンク本体の内部に冷却水を流入させるタンク流入口が形成されている。タンク本体部の他方の側面には、タンク本体の内部から冷却水を流出させるタンク流出口が形成されている。特許文献１に記載のリザーブタンクでは、タンク流入口からタンク本体の内部に流入した冷却水が各貯液室を流れる間に、冷却水に含まれる気体成分が分離されて、タンク本体の上部に貯まるようになっている。
【先行技術文献】
【特許文献】
【０００４】
【特許文献１】特開２０１７−１６６３４７号公報
【発明の概要】
【発明が解決しようとする課題】
【０００５】
ところで、特許文献１に記載のリザーブタンクにおいて、冷却水に含まれる気体成分を分離する気液分離機能を十分に確保するためには、冷却水の流路長をある程度の長さ以上に設定する必要がある。具体的には、タンク本体部のタンク流入口からタンク流出口までの長さ、換言すればタンク本体の幅方向の長さを所定の長さ以上に設定する必要がある。
【０００６】
一方、温度上昇により冷却水が膨張した場合、タンク本体の内部の冷却水の水位が上昇することになる。したがって、特許文献１に記載のリザーブタンクにおいて体積膨張吸収機能を十分に確保するためには、タンク本体の高さ方向の長さを所定の長さ以上に設定する必要がある。
【０００７】
以上のことから、特許文献１に記載のリザーブタンクにおいて気液分離機能及び体積膨張吸収機能の両立を図ろうとすると、タンク本体の幅方向の長さを所定の長さ以上に設定し、且つタンク本体の高さ方向の長さを所定の長さ以上に設定する必要がある。これがリザーブタンクの大型化を招き、ひいては冷却システムの搭載性を悪化させる要因となっている。
【０００８】
本開示は、こうした実情に鑑みてなされたものであり、その目的は、搭載性を向上させることの可能な車両の冷却システムを提供することにある。
【課題を解決するための手段】
【０００９】
上記課題を解決する車両の冷却システム（１０）は、冷却系統（２０）と、気液分離部（２４）と、タンク部（４０）と、を備える。冷却系統では、ポンプ（２３）により圧送される冷却水が発熱体（２１）と熱交換器（２２）との間を循環しており、発熱体の熱を冷却水が吸収することにより発熱体が冷却されるとともに、熱交換器において冷却水の放熱が行われる。気液分離部は、冷却系統を循環する冷却水が流入し、流入した冷却水中に含まれる気体成分を分離する。タンク部は、気液分離部とは別に設けられ、気液分離部において分離された冷却水及び気体成分が個別の流路（Ｗ１０，Ｗ１１）を通じて流入して貯留され、貯留される冷却水を冷却系統に戻すとともに、冷却系統の冷却水の体積膨張により増加した余分な冷却水を一時的に貯留することの可能である。
【００１０】
この構成によれば、気液分離部とタンク部とが別体からなるため、気液分離部に関しては、気液分離機能を確保することの可能な最小寸法まで小型化することができる。また、タンク部に関しても、体積膨張吸収機能を確保することの可能な最小寸法まで小型化することができる。結果的に、気液分離機能及び体積膨張吸収機能を両立したリザーブタンクと比較すると、上記構成の気液分離部及びタンク部の方が小型化することが可能であるため、それらの設置スペースを小さくすることができる。よって、冷却システムの搭載性を向上させることができる。
【００１１】
なお、上記手段、特許請求の範囲に記載の括弧内の符号は、後述する実施形態に記載の具体的手段との対応関係を示す一例である。
【発明の効果】
【００１２】
本開示によれば、搭載性を向上させることの可能な車両の冷却システムを提供できる。
【図面の簡単な説明】
【００１３】
【図１】図１は、第１実施形態の車両の冷却システムの概略構成を示すブロック図である。
【図２】図２は、第１実施形態の気液分離部の断面構造を示す断面図である。
【図３】図３は、図２のＩＩ−ＩＩ線に沿った断面構造を示す断面図である。
【図４】図４は、第１実施形態の気液分離部及びタンク部の位置関係を模式的に示す図である。
【図５】図５は、第２実施形態の車両の冷却システムの概略構成を示すブロック図である。
【図６】図６は、第３実施形態の気液分離部及びタンク部の概略構成を示すブロック図である。
【図７】図７は、第４実施形態のタンク部の概略構成を示す図である。
【図８】図８は、第５実施形態の気液分離部及び熱交換器のタンクのハウジングの概略構成を示す図である。
【図９】図９は、他の実施形態の車両の冷却システムの概略構成を示すブロック図である。
【図１０】図１０は、他の実施形態の気液分離部の側面構造を示す側面図である。
【図１１】図１１は、図１０のＸＩ−ＸＩ線に沿った断面構造を示す断面図である。
【発明を実施するための形態】
【００１４】
以下、車両の冷却システムの実施形態について図面を参照しながら説明する。説明の理解を容易にするため、各図面において同一の構成要素に対しては可能な限り同一の符号を付して、重複する説明は省略する。
＜第１実施形態＞
図１に示される第１実施形態の冷却システム１０は、車両に搭載される発熱体２１，３１を冷却するものである。車両がハイブリッド車やプラグインハイブリッド車である場合、エンジンの他、モータジェネレータやインバータ、バッテリ、空調用ヒートポンプ等が発熱し易い。このような車両にあっては、エンジンを冷却するための冷却システムに加え、モータジェネレータやインバータ等を冷却するための冷却システムも別途必要となる。本実施形態の冷却システム１０は、モータジェネレータやインバータ等の機器を発熱体２１，３１として、それらの発熱体２１，３１を冷却するために用いられるものである。
【００１５】
図１に示されるように、冷却システム１０は、発熱体２１を冷却するための第１冷却系統２０と、発熱体３１を冷却するための第２冷却系統３０とを備えている。
第１冷却系統２０では、ポンプ２３により圧送される冷却水が発熱体２１と熱交換器２２との間を循環している。発熱体２１では、その内部を流れる冷却水が発熱体２１の熱を吸収する。これにより、発熱体２１が冷却される。発熱体２１の熱を吸収することにより温度の状態した冷却水は、熱交換器２２に流入する。熱交換器２２では、その内部を流れる冷却水と、その外部を流れる空気との間で熱交換が行われることにより、冷却水の放熱が行われる。熱交換器２２において冷却された冷却水はポンプ２３に流入する。ポンプ２３は、エンジンの動力により駆動する機械式のポンプ、あるいはバッテリからの電力の供給に基づき駆動する電動式のポンプからなる。ポンプ２３は、冷却水を発熱体２１に圧送する。
【００１６】
第２冷却系統３０は、第１冷却系統２０と同様に、熱交換器３２及びポンプ３３を備えている。第２冷却系統３０の構成は、冷却対象が発熱体３１であることを除いて、第１冷却系統２０と同一又は類似の構成を有しているため、その詳細な説明は割愛する。
ところで、第１冷却系統２０では、発熱体２１の熱を吸収することにより冷却水の温度が上昇すると、冷却水の気化により、冷却水中に気体成分が含まれるようになる。冷却水に含まれる気体成分が増加すると、熱交換器２２における冷却水の熱交換効率が低下する。すなわち、冷却水を十分に冷却することが難しくなるため、結果として発熱体２１の冷却が不十分になる可能性がある。同様の課題は、第２冷却系統３０でも生じ得る。
【００１７】
そこで、冷却システム１０は、第１冷却系統２０を循環する冷却水に含まれる気体成分を分離する気液分離部２４と、第２冷却系統３０を循環する冷却水に含まれる気体成分を分離する気液分離部３４とを更に備えている。
一方、冷却系統２０，３０では、冷却水の温度が上昇すると、熱膨張により冷却水の体積が増加する。そのため、体積膨張により増加した余分な冷却水を一時的に貯留する構成が必要となる。そこで、本実施形態の冷却システム１０は、気液分離部２４，３４にて分離された冷却水及び気体成分を一時的に貯留するタンク部４０を更に備えている。タンク部４０では、冷却系統２０，３０の冷却水の体積膨張により増加した余分な冷却水を一時的に貯留することが可能である。
【００１８】
次に、気液分離部２４，３４及びタンク部４０の構造について具体的に説明する。
図１に示されるように、気液分離部２４には、発熱体２１から流出される冷却水の一部、及び熱交換器２２に流入する冷却水の一部が流入する。気液分離部２４は、流入した冷却水に旋回流を発生させることにより、冷却水に含まれる気体成分を分離する。具体的には、気液分離部２４は、図２に示されるように構成されている。
【００１９】
図２に示されるように、気液分離部２４は、タンク本体５０と、タンク本体５０の内部に収容される流路形成プレート６０とを備えている。なお、図２において矢印Ｚ１で示される方向は鉛直方向上方を示し、矢印Ｚ２で示される方向は鉛直方向下方を示す。
タンク本体５０は、軸線ｍ１を中心に円筒状に形成されている。タンク本体５０は、軸線ｍ１に沿った方向において上側タンク部５１と下側タンク部５２とに分割されて構成されている。タンク本体５０は、上側タンク部５１と下側タンク部５２とが接合されることにより構成されている。タンク本体５０は、樹脂材料等により形成されている。なお、タンク本体５０の材料として、透過性を有するポリプロピレン等の樹脂材料を用いれば、その内部の冷却水の水位を目視で確認することが可能である。
【００２０】
下側タンク部５２の外壁部５２０には、発熱体２１及び熱交換器２２から流れる冷却水をタンク本体５０の内部に流入させるための流入パイプ７０が取り付けられている。下側タンク部５２の内部には、流路形成プレート６０が収容されている。流路形成プレート６０は、その外周部分が下側タンク部５２の底壁部５２１と上側タンク部５１とに挟まれることによりタンク本体５０に固定されている。図３に示されるように、流路形成プレート６０の外壁部と下側タンク部５２の内壁部との間には円環状の隙間が形成されている。この隙間は、流入パイプ７０から冷却水が流入する外周流路ＦＰ３を構成している。
【００２１】
図２に示されるように、流路形成プレート６０は、上側プレート６１と、下側プレート６２とにより構成されている。
上側プレート６１は、軸線ｍ１を中心に円柱状に形成されている。上側プレート６１の上面の中央部には、軸線ｍ１を中心軸として円筒状に形成された円筒部６１０が設けられている。
【００２２】
図３に示されるように、上側プレート６１の内部には、独立した２つの流路ＦＰ１，ＦＰ２を構成するための凹状溝６１１，６１２が形成されている。凹状溝６１１，６１２は、軸線ｍ１を中心とする径方向外側から上側プレート６１の中央に向かって円弧状に曲げられるように形成されている。凹状溝６１１，６１２は、上側プレート６１の中央部分に形成された空間からなる合流部６１３で合流している。合流部６１３は、円筒部６１０の一端部から円筒部６１０の内部に連通されている。凹状溝６１１，６１２は、軸線ｍ１を中心とする径方向において合流部６１３の外側から合流部６１３に向かうほど、その幅が狭くなるように形成されている。
【００２３】
流路形成プレート６０の上側プレート６１の外周面には、外周流路ＦＰ３を流れる冷却水を第１流路ＦＰ１に流入させるための流入口６１４、及び外周流路ＦＰ３を流れる冷却水を第２流路ＦＰ２に流入させるための流入口６１５が形成されている。流入口６１４及び流入口６１５は、合流部６１３を中心として点対称に配置されている。
【００２４】
図２に示されるように、下側プレート６２は、上側プレート６１の底面に組み付けられている。下側プレート６２は、上側プレート６１に形成されている凹状溝６１１，６１２及び合流部６１３のそれぞれの開口部分を閉塞している。下側プレート６２と上側プレート６１の凹状溝６１１とにより囲まれる空間は第１流路ＦＰ１を構成している。また、下側プレート６２と上側プレート６１の凹状溝６１２とにより囲まれる空間は第２流路ＦＰ２を構成している。
【００２５】
上側タンク部５１は、流路形成プレート６０の上側プレート６１と共に気液分離室Ｒ１を形成している。気液分離室Ｒ１は、冷却水に含まれる気体成分を分離する部分である。図中の符号Ｒ１０は、気液分離室Ｒ１において主に気体が存在する気体層を示し、図中の符号Ｒ１１は、気液分離室Ｒ１において主に冷却水が存在する液体層を示している。気液分離室Ｒ１は、上側タンク部５１の内壁面と流路形成プレート６０の上面とにより区画される空間として形成されている。気液分離室Ｒ１の内部には、流路形成プレート６０の円筒部６１０が延びるように配置されている。
【００２６】
上側タンク部５１の外壁部５１０には、気液分離室Ｒ１の液体層Ｒ１１に貯留される冷却水をタンク部４０に流出させるための流出パイプ７１が取り付けられている。流出パイプ７１は、その内部流路が気液分離室Ｒ１内に貯留される冷却水の液面ＬＳよりも下方に位置し、且つその内部流路が円筒部６１０の先端部よりも下方に位置するように配置されている。
【００２７】
上側タンク部５１の上壁部５１１には、気液分離室Ｒ１の気体層Ｒ１０に貯留される気体成分をタンク部４０に流出させるための流出パイプ７２が取り付けられている。
次に、本実施形態の気液分離部２４の動作例について説明する。
【００２８】
流入パイプ７０から流入した冷却水は、流路形成プレート６０の流入口６１４，６１５を通じて第１流路ＦＰ１及び第２流路ＦＰ２にそれぞれ流入する。第１流路ＦＰ１及び第２流路ＦＰ２にそれぞれ流入した冷却水は、第１流路ＦＰ１及び第２流路ＦＰ２に沿って流路形成プレート６０の外側から内側に向かって旋回しつつ流れて、合流部６１３で合流する。この際、図３に示されるように、第１流路ＦＰ１から合流部６１３に流入する冷却水の流れ方向Ｂ１と、第２流路ＦＰ２から合流部６１３に流入する冷却水の流れ方向Ｂ２とが対向している。これらの対向する流れ方向を有する冷却水が合流部６１３に流れ込むことにより合流部６１３の冷却水に旋回流を発生させることができる。旋回流となった冷却水は、図２に矢印Ｂ３で示されるように円筒部６１０の内部を旋回しつつ上方に向かって流れ、円筒部６１０の先端部から気液分離室Ｒ１に吐出される。この際、冷却水が旋回しながら気液分離室Ｒ１に流入することにより、気液分離室Ｒ１内には冷却水の渦が形成されるため、その遠心力により液体状の冷却水が気液分離室Ｒ１の外周部分に向かって流れるとともに、冷却水に含まれる気体成分が気液分離室Ｒ１の中央部分付近に集まる。気液分離室Ｒ１の中央部付近に集まった気体成分は、気液分離室Ｒ１の上方に貯まる。そのため、気液分離室Ｒ１の上方には気体層Ｒ１０が形成され、その下方には液体層Ｒ１１が形成されることになる。液体層Ｒ１１に貯留される冷却水は、流出パイプ７１を通じてタンク部４０に流出する。気体層Ｒ１０に貯留される気体成分は、流出パイプ７２を通じてタンク部４０に流出する。
【００２９】
図１に示される気液分離部３４は、気液分離部２４と同一の構造を有しているため、その詳細な説明は割愛する。
図１に示されるように、タンク部４０は、流入口４１〜４４と、流出口４５，４６とが設けられている。タンク部４０の材料として、透過性を有するポリプロピレン等の樹脂材料を用いれば、その内部の冷却水の水位を目視で確認することが可能である。
【００３０】
流入口４１は、液体流路Ｗ１０を介して一方の気液分離部２４の流出パイプ７１に接続されている。流入口４２は、気体流路Ｗ１１を介して一方の気液分離部２４の流出パイプ７２に接続されている。したがって、一方の気液分離部２４において分離された冷却水及び気体成分は、流入口４１及び流入口４２を通じてタンク部４０の内部に流入する。
【００３１】
また、流入口４３は、液体流路Ｗ１０を介して他方の気液分離部３４の流出パイプ７１に接続されている。流入口４４は、気体流路Ｗ１１を介して他方の気液分離部３４の流出パイプ７２に接続されている。したがって、他方の気液分離部３４において分離された冷却水及び気体成分は、流入口４３及び流入口４４を通じてタンク部４０の内部に流入する。
【００３２】
タンク部４０は、気液分離部２４，３４から各流入口４１〜４４を通じて流入する冷却水及び気体成分を一時的に貯留する。なお、図中の符号Ｒ２０は、タンク部４０の内部において主に気体が存在する気体層を示し、図中の符号Ｒ２１は、タンク部４０の内部において主に冷却水が存在する液体層を示している。タンク部４０に貯留される冷却水は、流出口４５から液体流路Ｗ１２を通じて第１冷却系統２０の熱交換器２２に戻されるとともに、流出口４６から液体流路Ｗ２２を通じて第２冷却系統３０の熱交換器３２に戻される。
【００３３】
タンク部４０の上壁部には、タンク部４０の内部に冷却水を供給することの可能な注水口４７が設けられている。この注水口４７からタンク部４０の内部に供給された冷却水は、流出口４５，４６を通じて各冷却系統２０，３０に供給される。よって、注水口４７からタンク部４０の内部に冷却水を供給することにより、実質的に各冷却系統２０，３０を流れる冷却水の水量を調整することが可能である。
【００３４】
注水口４７には、加圧キャップ４８が装着されている。この加圧キャップ４８により、タンク部４０の内部を含め、各冷却系統２０，３０の圧力管理を行うことが可能となっている。
なお、図４に示されるように、気液分離部２４及びタンク部４０は、タンク部４０の下限液面Ｌ２０よりも鉛直方向上方に気液分離部２４の液面の下限液面Ｌ１０が位置する位置関係となるように配置されていることが望ましい。気液分離部２４の液面の下限液面Ｌ１０は、流出パイプ７１よりも鉛直方向上方であって、且つ円筒部６１０の先端部よりも鉛直方向上方となるように、例えば図４に示される位置Ｌ１０に設定される。この気液分離部２４の下限液面Ｌ１０は、気液分離部２４において気液分離機能を確保することの可能な冷却水の水位の下限位置を示すものであり、予め設定されている。一方、タンク部４０の液面の下限液面Ｌ２０は、流出口４５，４６よりも鉛直方向上方であって、且つ各冷却系統２０，３０の冷却水の体積膨張により発生する余分な冷却水を一時的に貯留することができるように、例えば図４に示される位置Ｌ２０に設定される。このタンク部４０の下限液面Ｌ２０は、タンク部４０において体積膨張吸収機能を確保することの可能な冷却水の水位の下限位置を示すものであり、予め設定されている。
【００３５】
タンク部４０の液面の下限液面Ｌ２０よりも鉛直方向上方に気液分離部２４の液面の下限液面Ｌ１０が位置していれば、仮に気液分離部２４の水位が下限液面Ｌ１０まで低下し、且つタンク部４０の水位が下限液面Ｌ２０まで低下した場合でも、気液分離部２４からタンク部４０に冷却水を流すことが可能となる。なお、気液分離部３４とタンク部４０との位置関係についても同様である。
【００３６】
ところで、このような冷却システム１０では、車両の運転状態によっては、発熱体２１の冷却は必要であるが、発熱体３１の冷却は不要な状況も生じ得る。このような状況では、第１冷却系統２０のみで冷却水が循環することになる。本実施形態の冷却システム１０では、タンク部４０において各冷却系統２０，３０が繋がっているため、第１冷却系統２０のみで冷却水が循環しているような場合、第２冷却系統３０の熱交換器３２内の冷却水が、液体流路Ｗ２２を介してタンク部４０に逆流することにより、第１冷却系統２０に流入する可能性がある。このように、第２冷却系統３０の冷却水が第１冷却系統２０に引き込まれるような状況になると、第２冷却系統３０が第１冷却系統２０に対して熱干渉することになるため、例えば第１冷却系統２０において発熱体２１の冷却機能が低下する等の悪影響が発生する可能性がある。同様に、第２冷却系統３０のみで冷却水が循環しているような状況において、第１冷却系統２０の冷却水が第２冷却系統３０に引き込まれると、第２冷却系統３０において発熱体３１の冷却機能が低下する等の悪影響が発生する可能性がある。
【００３７】
そこで、本実施形態の冷却システム１０では、タンク部４０の流出口４５と第１冷却系統２０の熱交換器２２とを接続する液体流路Ｗ１２に、熱交換器２２からタンク部４０への冷却水の逆流を抑制するための逆止弁８０が設けられている。また、タンク部４０の流出口４５と第２冷却系統３０の熱交換器３２とを接続する液体流路Ｗ２２にも、同様に、熱交換器３２からタンク部４０への冷却水の逆流を抑制するための逆止弁８１が設けられている。
【００３８】
以上説明した本実施形態の冷却システム１０によれば、以下の（１）〜（５）に示される作用及び効果を得ることができる。
（１）気液分離部２４，３４とタンク部４０とが別体からなるため、気液分離部２４，３４に関しては、気液分離機能を確保することの可能な最小寸法まで小型化することができる。また、タンク部４０に関しても、体積膨張吸収機能を確保することの可能な最小寸法まで小型化することができる。結果的に、気液分離機能及び体積膨張機能を両立したリザーブタンクと比較すると、本実施形態の気液分離部２４，３４及びタンク部４０の方が小型化することができるため、それらの設置スペースを小さくすることができる。よって、冷却システム１０の搭載性を向上させることができる。
【００３９】
（２）冷却システム１０は、複数の冷却系統２０，３０を備えている。気液分離部２４，３４は、複数の冷却系統２０，３０に対して個別に設けられている。タンク部４０には、複数の気液分離部２４，３４のそれぞれにおいて分離された冷却水及び気体成分が流入して貯留される。このような構成によれば、複数の冷却系統２０，３０でタンク部４０を共用することができるため、複数の冷却系統２０，３０のそれぞれに対してタンク部を設ける場合と比較すると、タンク部の個数を減らすことができる。よって、タンク部の設置スペースを小さくすることができるため、冷却システム１０の搭載性を更に向上させることができる。
【００４０】
（３）タンク部４０から冷却系統２０，３０に冷却水を戻すための液体流路Ｗ１２，Ｗ２２には、冷却系統２０，３０からタンク部４０へ向かう方向への冷却水の流れを規制する逆止弁８０，８１が設けられている。これにより、第１冷却系統２０から第２冷却系統３０への冷却水の逆流を逆止弁８０により抑制することができる。また、第２冷却系統３０から第１冷却系統２０への冷却水の逆流を逆止弁８１により抑制することができる。このように冷却系統２０，３０間の冷却水の逆流が抑制されることにより、冷却系統２０，３０の間の熱干渉を抑制することができるため、各冷却系統２０，３０における冷却機能の低下を回避することができる。
【００４１】
（４）気液分離部２４，３４は、冷却系統２０，３０から流入した冷却水に旋回流を発生させることにより冷却水と気体成分とを分離する。このような気液分離部２４，３４を用いれば、小型でありながら気液分離の可能な構成を容易に実現することができる。
（５）気液分離部２４，３４及びタンク部４０は、タンク部４０の液面の下限液面Ｌ２０よりも鉛直方向上方に気液分離部２４，３４の液面の下限液面Ｌ１０が位置する位置関係となるように配置されている。これにより、仮に気液分離部２４，３４の水位が下限液面Ｌ１０まで低下し、且つタンク部４０の水位が下限液面Ｌ２０まで低下した場合でも、気液分離部２４，３４からタンク部４０に冷却水を流すことが可能となる。
【００４２】
＜第２実施形態＞
次に、冷却システム１０の第２実施形態について説明する。以下、第１実施形態の冷却システム１０との相違点を中心に説明する。
図５に示されるように、本実施形態の冷却システム１０では、気液分離部２４とタンク部４０とが隣接して配置されている。気液分離部２４とタンク部４０との間には、それらを隔てるように隔壁９０が設けられている。隔壁９０は、気液分離部２４の右側壁部となり、且つタンク部４０の左側壁部となっている。
【００４３】
隔壁９０には、気液分離部２４の気体層Ｒ１０とタンク部４０の気体層Ｒ２０とを連通させる連通孔９１と、気液分離部２４の液体層Ｒ１１とタンク部４０の液体層Ｒ２１とを連通させる連通孔９２とが設けられている。すなわち、気液分離部２４の気体層Ｒ１０に貯留される気体成分は隔壁９０の連通孔９１を通じてタンク部４０の気体層Ｒ２０に流入する。気液分離部２４の液体層Ｒ１１に貯留される冷却水は隔壁９０の連通孔９２を通じてタンク部４０の液体層Ｒ２１に流入する。
【００４４】
以上説明した本実施形態の冷却システム１０によれば、以下の（６）に示される作用及び効果を更に得ることができる。
（６）気液分離部２４及びタンク部４０は隣接して配置されている。このような構成によれば、気液分離部２４及びタンク部４０の設置スペースを小さくすることができるため、搭載性を更に向上させることができる。
【００４５】
＜第３実施形態＞
次に、冷却システム１０の第３実施形態について説明する。以下、第１実施形態の冷却システム１０との相違点を中心に説明する。
図６に示されるように、本実施形態の冷却システム１０では、タンク部４０の内部に隔壁４９ａ，４９ｂが設けられている。隔壁４９ａ，４９ｂは、タンク部４０の底面から上方に向かって延びるように形成されており、且つタンク部４０の幅方向に所定の隙間を隔てて配置されている。隔壁４９ａ，４９ｂの間の隙間は気体層を形成している。隔壁４９ａ，４９ｂは、タンク部４０の内部空間を貯留室Ｒ３０，Ｒ３１に区画している。貯留室Ｒ３０は、気液分離部２４から液体流路Ｗ１０を通じてタンク部４０の内部に流入する冷却水を貯留する部分である。貯留室Ｒ３１は、気液分離部３４から液体流路Ｗ２０を通じてタンク部４０の内部に流入する冷却水を貯留する部分である。
【００４６】
貯留室Ｒ３０及び貯留室Ｒ３１は、タンク部４０の内部の上方において連通されている。貯留室Ｒ３０及び貯留室Ｒ３１のそれぞれの上方の空間は、気液分離部２４から気体流路Ｗ１１を通じてタンク部４０の内部に流入する気体成分、及び気液分離部３４から気体流路Ｗ２１を通じてタンク部４０の内部に流入する気体成分が貯留される部分となっている。
【００４７】
以上説明した本実施形態の冷却システム１０によれば、以下の（７）及び（８）に示される作用及び効果を更に得ることができる。
（７）隔壁４９ａ，４９ｂによりタンク部４０の内部に形成された貯留室Ｒ３０，Ｒ３１には、気液分離部２４，３４において分離された冷却水がそれぞれ流入する。このような構成によれば、各冷却系統２０，３０を流れる冷却水が混ざることにより発生する冷却系統２０，３０の間の熱干渉を抑制することができる。よって、冷却系統２０，３０のいずれか一方、あるいはそれらの両方で冷却機能が低下するような状況を回避することができる。
【００４８】
（８）特に、本実施形態の冷却システム１０のように、隔壁４９ａ，４９ｂの間に空気層が形成されていれば、それが断熱構造として機能するため、冷却系統２０，３０の間の熱干渉を、より的確に抑制することができる。そのため、冷却系統２０，３０のいずれか一方、あるいはそれらの両方で冷却機能が低下するような状況を、より的確に回避することができる。
【００４９】
＜第４実施形態＞
次に、冷却システム１０の第４実施形態について説明する。以下、第１実施形態の冷却システム１０との相違点を中心に説明する。
図７に示されるように、本実施形態の冷却システム１０では、タンク部４０の外壁部４００が、内側外壁部４０１及び外側外壁部４０２からなる二重構造となっている。内側外壁部４０１と外側外壁部４０２との間には空気層Ｓが形成されている。この空気層Ｓにより、タンク部４０の外部から内部への入熱が抑制されている。すなわち、本実施形態では、内側外壁部４０１及び外側外壁部４０２が断熱構造として機能している。
【００５０】
以上説明した本実施形態の冷却システム１０では、以下の（９）に示される作用及び効果を更に得ることができる。
（９）タンク部４０の外壁部４００には、その外部から内部への入熱を抑制する断熱構造が設けられている。このような構成によれば、タンク部４０の外部から内部に熱が伝達され難くなるため、タンク部４０の外部の熱によりタンク部４０の内部の冷却水の温度が上昇するような状況を回避することができる。すなわち、タンク部４０の外部から冷却系統２０，３０への熱干渉を回避することができる。よって、各冷却系統２０，３０における冷却機能の低下を回避することができる。
【００５１】
＜第５実施形態＞
次に、冷却システム１０の第５実施形態について説明する。以下、第１実施形態の冷却システム１０との相違点を中心に説明する。
図８に示されるように、本実施形態の冷却システム１０では、気液分離部２４が、熱交換器２２のタンク２２０のハウジング２２１に一体化されている。具体的には、気液分離部２４の上側タンク部５１の外壁部５１０及び下側タンク部５２の外壁部５２０は、熱交換器２２のタンク２２０のハウジング２２１に一体的に組み付けられている。
【００５２】
なお、熱交換器２２のタンク２２０のハウジング２２１の内部には、発熱体２１から流出した高温の冷却水が流入する。タンク２２０は、流入した冷却水を、熱交換器２２に設けられる図示しない複数のチューブに分配する。熱交換器２２では、チューブの内部を流れる冷却水と、チューブの外部を流れる空気との間で熱交換が行われることにより、冷却水の熱が空気に放出されて、冷却水が冷却される。
【００５３】
図８に示されるように、気液分離部２４の底壁部５２１には、流入口７４が形成されている。タンク２２０のハウジング２２１の内部を流れる冷却水は、流入口７４を通じて気液分離部２４の内部に導入される。流入口７４を通じて気液分離部２４の内部に導入された冷却水は、流路形成プレート６０に導入されることにより、旋回流となって気液分離室Ｒ１に吐出される。これにより、冷却水に含まれる気体成分が気液分離室Ｒ１で分離される。
【００５４】
以上説明した本実施形態の冷却システム１０によれば、以下の（１０）に示される作用及び効果を更に得ることができる。
（１０）気液分離部２４の外壁部５１０，５２０は、熱交換器２２のタンク２２０のハウジング２２１に一体的に組み付けられている。このような構成によれば、熱交換器２２の設置スペースとは別に気液分離部２４の設置スペースを確保する必要がなくなるため、搭載性を更に向上させることができる。
【００５５】
＜他の実施形態＞
なお、各実施形態は、以下の形態にて実施することもできる。
・第５実施形態の冷却システム１０では、熱交換器２２のタンク２２０のハウジング２２１に代えて、ポンプ２３のハウジングに気液分離部２４の外壁部５１０，５２０が一体的に組み付けられていてもよい。このような構成であれば、ポンプ２３の設置スペースとは別に気液分離部２４の設置スペースを確保する必要がなくなるため、搭載性を更に向上させることができる。また、タンク部４０の外壁部４００がポンプ２３のハウジングに一体的に組み付けられていてもよい。このような構成であれば、ポンプ２３の設置スペースとは別にタンク部４０の設置スペースを確保する必要がなくなるため、搭載性を更に向上させることができる。
【００５６】
・各実施形態の冷却システム１０は、第２冷却系統３０を有しない構成であってもよい。すなわち、冷却システム１０は、第１冷却系統２０、気液分離部２４、及びタンク部４０のみにより構成することも可能である。
・各実施形態の冷却システム１０は、２つの冷却系統に限らず、３つ以上の複数の冷却系統により構成されるものであってもよい。
【００５７】
・気液分離部は、冷却系統を循環する冷却水の一部が流入するものに限らず、冷却系統を流れる冷却水の全てが流入するものであってもよい。このような気液分離部としては、例えば図９に示される冷却システム１０の気液分離部２４がある。図９に示される冷却システム１０は、発熱体２１を冷却するための冷却系統２０を備えている。冷却系統２０では、ポンプ２３により圧送される冷却水が、熱交換器２２、発熱体２１、気液分離部２４、タンク部４０、逆止弁８０の順で流れた後にポンプ２３に再び戻されるように循環する。この冷却系統２０に用いられる発熱体３１としては、例えば電気自動車に搭載される動力源としての電動機や、電動機に電力を供給する電池、電動機を駆動するためのインバータ装置等がある。熱交換器２２としては、例えばラジエータが用いられる。このような冷却系統２０では、エンジンを冷却するための冷却系統と比較すると冷却水の流量が少ないため、冷却系統２０を流れる冷却水の全てを気液分離部２４に流入させる構成であっても、冷却水に含まれる気体成分を的確に分離することが可能である。
【００５８】
・気液分離部２４の構造としては、図２及び図３に示される構造に限らず、任意の構造を採用することができる。例えば気液分離部２４は、図１０及び図１１に示されるような構造を有するものであってもよい。図１０及び図１１に示される気液分離部２４では、タンク本体５０の内部に、その底壁部５０ｂの内面から軸線ｍ１に沿って鉛直方向上方Ｚ１に延びるように突出部５３が形成されている。タンク本体５０の側壁部５０ａには、その外面から突出するように流入パイプ７０が形成されている。流入パイプ７０は、突出部５３の先端部よりも鉛直方向下方Ｚ２に配置されている。タンク本体５０の底壁部５０ｂには、その外面から突出するように流出パイプ７１が形成されている。この気液分離部２４では、流入パイプ７０からタンク本体５０の内部に流入した冷却水が、図１１に矢印で示されるようにタンク本体５０の側壁部５０ａの内周面に沿って流れることにより、冷却水に旋回流が形成される。その際、冷却水が突出部５３の外周面に沿って軸線ｍ１を中心とする周方向に流れることにより、更に冷却水に旋回流が形成され易くなっている。これにより、タンク本体５０の内部に冷却水の渦が形成されるため、その遠心力により、冷却水に含まれる気体成分が分離される。結果として、タンク本体５０の下部に、液体状の冷却水が集まり、タンク本体５０の上部に、冷却水に含まれる気体成分が集まる。タンク本体５０の下部に集められた冷却水は、流出パイプ７１を通じて外部に排出される。このような気液分離部２４を用いれば、図２及び図３に示される気液分離部２４と比較すると、冷却水に作用する圧力損失を低減することが可能である。
【００５９】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００６０】
Ｒ３０，Ｒ３１：貯留室
Ｗ１０〜Ｗ１２，Ｗ２０〜Ｗ２２：流路
１０：冷却システム
２０，３０：冷却系統
２１，３１：発熱体
２２，３２：熱交換器
２３，３３：ポンプ
２４，３４：気液分離部
４０：タンク部
４９ａ，４９ｂ：隔壁
８０，８１：逆止弁
２２０：タンク
２２１：ハウジング
４０１，４０２：外壁部（断熱構造）
５１０，５２０：外壁部
【図１】
2020023965.tif 000003
【図２】
2020023965.tif 000004
【図３】
2020023965.tif 000005
【図４】
2020023965.tif 000006
【図５】
2020023965.tif 000007
【図６】
2020023965.tif 000008
【図７】
2020023965.tif 000009
【図８】
2020023965.tif 000010
【図９】
2020023965.tif 000011
【図１０】
2020023965.tif 000012
【図１１】
2020023965.tif 000013